(57)【要約】　　　（修正有）【課題】安定した状態で通気や排水性が維持できる植栽用ブロック及びその水抜き孔の形成方法を提供する。【解決手段】無底枠形状又は板形状のブロック本体２の側壁や、有底鉢形状のブロック本体２の側壁及び／又は底部に穿設する水抜き孔３内に、植栽用充填材の流出を防止すべき網状体４又は多孔蓋１７を、その外周縁部をブロック本体２内に埋設して張設する。又は、有底鉢形状のブロック本体２の側壁に、ブロック本体２の内方に向かって下降する傾斜状の挿通孔２０を少なくとも１個貫通して設ける。又、有底鉢形状をなすブロック本体２の底部に水抜き孔３を穿設し、ほぼ平坦な底面に前記水抜き孔３と連通する逆凹溝８を底面の外周縁部に開口すべく連続して凹設する。【選択図】　図１
2004141132.tif 000002
【特許請求の範囲】
【請求項１】
無底枠形状又は板形状をなすブロック本体（２）の側壁、或いは有底鉢形状をなすブロック本体（２）の側壁及び／又は底部に穿設される水抜き孔（３）内に、植栽用充填材の流出を防止すべき網状体（４）又は多孔蓋（１７）がその外周縁部をブロック本体（２）内に埋設して張設されたことを特徴とする植栽用ブロック。
【請求項２】
有底鉢形状をなすブロック本体（２）の側壁に、ブロック本体（２）の内方に向かって下降する傾斜状の挿通孔（２０）が少なくとも１個貫通して設けられたことを特徴とする植栽用ブロック。
【請求項３】
有底鉢形状をなすブロック本体（２）の底部に水抜き孔（３）が穿設され、ほぼ平坦な底面に前記水抜き孔（３）と連通する逆凹溝（８）が底面の外周縁部に開口すべく連続して凹設されたことを特徴とする植栽用ブロック。
【請求項４】
無底枠形状又は有底鉢形状をなすブロック本体（２）の外側壁上端部に凸部（５）が周方向にわたって帯状に突設されるとともに、該凸部（５）上面を含むブロック本体（２）の上端面がブロック本体（２）の内方に向かって下降する傾斜面（６）となされ、外側壁中途部に断面ほぼ台形状の凸部（７）が前記凸部（５）と並列して１又は複数条帯状に突設された請求項１乃至３のいずれかに記載の植栽用ブロック。
【請求項５】
無底枠形状又は有底鉢形状をなすブロック本体（２）が平面視だ円形状となされた請求項１乃至４のいずれかに記載の植栽用ブロック。
【請求項６】
水抜き孔（３）を有する植栽用ブロック（１）の成形に際して、型枠（９）内に上記水抜き孔（３）を形成する突起部（１０）を相対向して突設し、各突起部（１０）先端部に設けたパッキン材（１１）間に植栽用充填材の流出を防止すべき網状体（４）又は多孔蓋（１７）を介在させて挟圧するとともに、パッキン材（１１）間から外方に突出させた上記網状体（４）又は多孔蓋（１７）の外周縁部を型枠（９）内に充填するコンクリートに埋設することを特徴とする植栽用ブロックの水抜き孔の形成方法。
【発明の詳細な説明】
【０００１】
【発明の属する技術分野】
本発明は植栽用ブロック及びその水抜き孔の形成方法に関するものであり、詳しくは、やすらぎのある環境、景観を創出すべく、街路、公園等、公共的施設やその他各種施設、工場、駐車場、その他広場等各種場所に設置される植栽用ブロック及びその水抜き孔の形成方法に関するものである。
【０００２】
【従来の技術】
従来、この種の植栽用ブロックは、平板状や湾曲板状のコンクリートブロックとなされ、適宜形状の枠状に連結施工されて枠内に植栽土を充填して地盤と連続する植栽域を形成したり、或いは有底鉢形状のコンクリートブロックとなされ、内部に充填した植栽土に植物を植栽するようになされており、いずれもその側壁に通気及び排水に供する横孔や、底部に排水のための水抜き孔が穿設され、時にはこれら孔の近傍に通気や水捌けを促進する各種の砕片や小石等（以下、粗骨材という）を配するとともに、かかる横孔や水抜き孔から植栽土や粗骨材等の流出を防止するために、これらの孔に対してネットや通水板等を配している。
【０００３】
【発明が解決しようとする課題】
しかしながら、かかる従来の植栽用ブロック、特に、有底鉢形状の植栽用ブロックにあっては、重量物であるブロックにさらに内部に充填される植栽土や粗骨材等の重量が加わって、安定性の面から平坦となされたブロックの底面が設置面と全面密接状態となって水抜き孔が完全に閉塞されてしまうことが度々あり、水抜き孔を介して行われるべき植栽用充填材への通気や植栽用充填材からの排水が行われなくなり、植栽した植物の根腐れが生じたり、その生育に悪影響を及ぼす問題点があった。
又、横孔や水抜き孔に対してネットや通水板を配して通気や排水性を確保することも行われているが、上記植栽域内やブロック内への植栽用充填材の投入時、経年による植栽用充填材の沈下時、又植物の根の広がり時等に、ネットや通水板が所定位置に留まらずに移動してしまい、植栽土や粗骨材等が横孔や水抜き孔から流出するという問題点があり、未だ安定した状態で通気や排水性が維持できていないのが現状である。
本発明はかかる従来の問題点に鑑みてなされたもので、安定した状態で通気や排水性が維持できる植栽用ブロック及びその水抜き孔の形成方法を提供することを課題とする。
【０００４】
【課題を解決するための手段】
上記課題を解決するため、本発明の植栽用ブロックは、無底枠形状又は板形状をなすブロック本体２の側壁、或いは有底鉢形状をなすブロック本体２の側壁及び／又は底部に穿設される水抜き孔３内に、植栽用充填材の流出を防止すべき網状体４又は多孔蓋１７がその外周縁部をブロック本体２内に埋設して張設されたことを特徴とする。
かかる本発明の植栽用ブロックによれば、ブロック本体２の水抜き孔３内に、植栽用充填材の流出を防止する網状体４又は多孔蓋１７がその外周縁部をブロック本体２内に埋設してブロック本体２と一体的に張設されているために、施工に際して濾材をなすネットや通水板等の取付作業を要せず、且つブロック本体２内又はブロック本体２によって形成された枠内への植栽用材の充填時、経年による植栽用充填材の沈下時、又植物の根の広がり時等に、水抜き孔３内で固定状態をなす網状体４又は多孔蓋１７が位置ずれを起こすようなことがなく、水抜き孔３からの植栽用充填材の流出防止を確実に行えるとともに、安定した状態で通気及び排水性が維持できる。
【０００５】
又、本発明の植栽用ブロックは、有底鉢形状をなすブロック本体２の側壁に、ブロック本体２の内方に向かって下降する傾斜状の挿通孔２０が少なくとも１個貫通して設けられたことを特徴とする。
かかる本発明の植栽用ブロックによれば、有底鉢形状をなすブロック本体２の側壁に、ブロック本体２の内方に向かって下降する傾斜状の挿通孔２０が少なくとも１個貫通して設けられているために、傾斜状の挿通孔２０からブロック本体２内の植栽土１６が流出するようなことがなく、従来の如く植栽用充填材の流出防止用のネット等を必要とせず、且つ挿通孔２０により安定した状態でその通気性を維持することができるとともに、降雨や散水に際して、ブロック本体２に付着してその側壁を伝う表面水の一部が、下向き傾斜状の挿通孔２０からブロック本体２内に流入して補助的な給水を行える。
更に、植栽前の運搬時や所定場所への設置時に、挿通孔２０を吊り孔としてロープ等を挿通、係止等してブロック本体２を人力、又はクレーン等建設機械で吊持してその移動を容易に行うことができるとともに、植栽後に設置場所から移動させる必要が生じた場合、挿通孔２０からブロック本体２内にバール等の棒状体２１の下端部を挿通し、棒状体２１の上端部側を上方等に回動すべく操作することで梃子の作用によってその下部が挿通孔２０内で固定化され、重量物である植栽用ブロックごと容易に移動させることができる。
【０００６】
又、本発明の植栽用ブロックは、有底鉢形状をなすブロック本体２の底部に水抜き孔３が穿設され、ほぼ平坦な底面に前記水抜き孔３と連通する逆凹溝８が底面の外周縁部に開口すべく連続して凹設されたことを特徴とする。
かかる本発明の植栽用ブロックによれば、有底鉢形状をなすブロック本体２のほぼ平坦な底面に、底部に穿設された水抜き孔３と連通する逆凹溝８が底面の外周縁部に開口すべく連続して凹設されているために、ブロック本体２、植栽用充填材及び植物等の重量が加重してブロック本体２の底面が設置面と密接状態となっても、水抜き孔３は設置面と離隔して空所を形成する逆凹溝８を介して外部と連通し、かかる逆凹溝８を水抜き孔３を介して行われるべき植栽用充填材の通気路や植栽用充填材から排出される余剰水の排水路としてブロック本体２内に植栽した植物の根腐れを防止することができ、安定した状態で通気及び排水性を確保できる。
尚、前記逆凹溝８を水抜き孔３からブロック本体２の底面の外周縁部に向かって複数条凹設すれば、上記通気及び排水性をさらに高めることができるとともに、たとえ何らかの理由によって１つの逆凹溝８が閉塞状態となっても他の逆凹溝８によって通気及び排水性を維持することができる。
【０００７】
又、本発明の植栽用ブロックは、無底枠形状又は有底鉢形状をなすブロック本体２の外側壁上端部に凸部５が周方向又は長さ方向にわたって帯状に突設されるとともに、該凸部５上面を含むブロック本体２の上端面がブロック本体２の内方に向かって下降する傾斜面６となされ、外側壁中途部に断面ほぼ台形状の凸部７が前記凸部５と並列して１又は複数条帯状に突設された構成を採用することができる。
かかる本発明の植栽用ブロックによれば、無底枠又は有底鉢形状をなすブロック本体２の上端面がブロック本体２の内方に向かって下降する傾斜面６となされているために、降雨や散水に際して、前記上端面上に落下した表面水がその傾斜面６を伝わってブロック本体２内に流入して効率的な給水ができ、且つ上端部で外突せる凸部５によって傾斜面６の面積を広くなしてその分により上記表面水の流入量を増加させ、延いては植栽した植物の生育を助成して水分欠乏による枯死を未然に防止できる。
又、前記ブロック本体２の外側壁中途部に断面ほぼ台形状の凸部７が帯状に突設されているために、街路や駐車場等の車両と対面する場所に設置されて、万一車両等のタイヤが植栽用ブロックに接触しても、その接触部は外側壁から帯状に隆起する凸部７となり、該凸部７とタイヤとが線接触することで相互の摩擦が減じられ、タイヤがスリップしてブロック本体２上に乗り上げることなく安全であるとともに、接触時の衝撃力も緩衝されることからブロック本体２が破損する恐れがない。
【０００８】
又、本発明の植栽用ブロックは、無底枠形状又は有底鉢形状をなすブロック本体２が平面視だ円形状となされた構成を採用することができる。
かかる本発明の植栽用ブロックによれば、無底枠形状又は有底鉢形状をなすブロック本体２が平面視だ円形状となされているために、外周全体が丸みを帯び、外観的に看者に柔和な感じを与えて植栽する植物と相まってやすらぎのある環境、景観の創出に寄与することができ、又、平面形状が長、短径から構成されて方向性を有し、設置場所に応じてその設置方向を変えることができ、設置スペースの広狭等に対応できる。さらに、外周全体が丸みを帯びていることから、上記凸部５，７が突設されている場合には、該凸部５，７への車両等の衝突に際し、凸部５，７とタイヤが点接触して相互の摩擦が更に減じられ、前記ブロック本体２上への乗り上げ防止や衝撃力緩和作用を一層効果的に奏してより安全な使用が行える。
【０００９】
又、本発明の植栽用ブロックの水抜き孔の形成方法は、水抜き孔３を有する植栽用ブロック１の成形に際して、型枠９内に上記水抜き孔３を形成する突起部１０を相対向して突設し、各突起部１０先端部に設けたパッキン材１１間に植栽用充填材の流出を防止すべき網状体４又は多孔蓋１７を介在させて挟圧するとともに、パッキン材１１間から外方に突出させた上記網状体４又は多孔蓋１７の外周縁部を型枠９内に充填するコンクリートに埋設することを特徴とする。
かかる本発明の植栽用ブロックの水抜き孔の形成方法によれば、型枠９内に水抜き孔３を形成する突起部１０を相対向して突設し、各突起部１０先端部に設けたパッキン材１１間に網状体４又は多孔蓋１７を介在させて挟圧するとともに、パッキン材１１間から外方に突出させた上記網状体４又は多孔蓋１７の外周縁部を型枠９内に充填するコンクリートに埋設するために、植栽用ブロック１の成形に際して、水抜き孔３の形成と同時に網状体４又は多孔蓋１７を水抜き孔３内に張設一体化することができるとともに、パッキン材１１が網状体４の網目又は多孔蓋１７の透孔内に弾性変形して食い込み、上記コンクリートによる前記網目又は透孔の目づまりを未然に防止することができる。
【００１０】
【発明の実施の形態】
以下、図面を参照しながら本発明の実施の形態について説明する。
図１は本発明の植栽用ブロックの一実施の形態を示し、１は本実施形態の植栽用ブロックであって、平面視だ円形状の枠形状をなす底部が開放されたコンクリート製のブロック本体２からなる。
該ブロック本体２は、同図（イ）乃至（ハ）に示すように、その外側壁上端部に、外側上隅部が円弧状に形成されてなる凸部５が周方向にわたって帯状に突設されるとともに、該凸部５上面を含む上端面がブロック本体２の内方に向かって下降する傾斜面６となされ、該ブロック本体２の外側壁中途部と下端部には、隅々に丸みを付してなる断面ほぼ台形状の凸部７が上記凸部５と並列して周方向にわたって帯状に突設されている。
【００１１】
又、上記ブロック本体２の側壁には下端から上側所望位置に円形の水抜き孔３が穿設され、該水抜き孔３内には、同図（ハ）及び（ニ）に示す如く、植栽用充填材の流出を防止する網状体４（又は後述の多孔蓋１７、以下同旨）がその外周縁部をブロック本体２内、詳しくは水抜き孔３の孔壁内に埋設して張設されている。上記網状体４（又は多孔蓋１７）は取替えの必要性をなくすために、例えばステンレス製、プラスチック製等の耐蝕性の優れたものが使用される。
しかして、本実施形態の植栽用ブロック１の使用に際しては、例えば図２に示すように、設置場所において、その下端部を適宜寸法分だけ地中に埋設して水抜き孔３を地面Ｇより上方に位置させ、ブロック本体２内に充填せる植栽土１６を地盤と連続させた後、植物１５を植栽するものであって、ブロック本体２内でその水位が上昇して余剰となる水が水抜き孔３から排水されるとともに、水抜き孔３の網状体４（又は多孔蓋１７）が通気窓となるものである。
【００１２】
上記植栽用ブロック１によれば、その施工に際して、植栽用充填材の流出を防止する網状体４（又は多孔蓋１７）を取付ける手間を省き、網状体４（又は多孔蓋１７）の位置を予め固定状態として、ブロック本体２内への植栽土１６の充填時、経年による植栽土１６の沈下時、又、植物１５の根の広がり時等にその位置ずれが防止されると同時に、水抜き孔３から植栽土１６の流出を確実に防止して通気及び排水性が維持される。
又、降雨や散水に際しては、ブロック本体２内に直接或いは植物１５を介して流入する水以外に、ブロック本体２の上端面上に落下した表面水が、その傾斜面６を伝わってブロック本体２内に流入するとともに、ブロック本体２の外側壁上端部で外突せる凸部５が周方向にわたって帯状に突設されて上記傾斜面６の面積を広くなし、その分により上記表面水の流入量を増やして給水ができ好ましい。更に、ブロック本体２内の植栽土１６は地盤と直接連続するために、下方へ伸びる植物１５の根の成長が阻害されることがなく、植物１５の生育を促進せしめて植生繁茂に大きく寄与する。
【００１３】
又、上記植栽用ブロック１を街路、駐車場等の車両と対面する場所に設置した際には、たとえ車両等のタイヤが植栽用ブロック１に接触してもその接触部は外側壁から帯状に隆起する凸部５，７となり、ブロック本体２が平面視だ円形状で外周全体に丸みを帯びていることと相まって、凸部５，７とタイヤが点接触することで相互の摩擦が減じられ、タイヤがスリップしてブロック本体２上に乗り上げることなく安全で且つその衝撃力も緩和されることから、ブロック本体２が平面視だ円形状で外側壁に凸部５，７を有しているのが好ましい。
しかも、ブロック本体２が上記形状となされていると、外観的にも柔和な感じで植栽する植物１５と相まってやすらぎのある環境、景観の創出に寄与でき、また、平面形状が長、短径から構成されて方向性を有し、設置場所に応じてその設置方向を変え、設置スペースの広狭等に対応することができ好都合である。
【００１４】
図３は本発明の植栽用ブロックの他実施の形態を示し、本実施形態の植栽用ブロック１は矩形状の平板形状をなすブロック本体２からなり、上記と略同様に、その外側壁上端部に、外側上隅部が円弧状に形成されてなる凸部５が長さ方向にわたって帯状に突設されるとともに、該凸部５上面を含む上端面がブロック本体２の内壁側に向かって下降する傾斜面６となされ、該ブロック本体２の外側壁中途部に、隅々に丸みを付してなる断面ほぼ台形状の凸部７を上記凸部５と並列して長さ方向にわたって帯状に突設している。
又、同図（イ）及び（ハ）に示す如く、上記ブロック本体２の外側壁ほぼ中央付近には円形の通気を主とした水抜き孔３が穿設され、該水抜き孔３内には、上記と同様、植栽用充填材の流出を防止する網状体４（又は多孔蓋１７）がその外周縁部を水抜き孔３の孔壁内に埋設して張設されている。
【００１５】
本実施形態の植栽用ブロック１の使用に際しては、例えば図４（イ）に示す如く、他の平板形状や湾曲板形状等の植栽用ブロック１′と組み合わせ連結されて植栽枠１８が形成されるとともに、同図（ロ）に示す如く、その下半部を地中に埋設して水抜き孔３を地面Ｇより上方に位置させ、形成された植栽枠１８内に充填せる植栽土１６を地盤と直接連続させた後、植物を植栽するものであって、上記枠内の余剰水が水抜き孔３から排水され、且つ水抜き孔３の網状体４（又は多孔蓋１７）が通気窓となるものである。
尚、上記他の平板形状や湾曲板形状等の植栽用ブロック１′は、本実施形態の植栽用ブロック１に合わせた外形状、即ち、外側壁に凸部５，７及び上端面に傾斜面６を有する形状で、水抜き孔３を有しないものであるが、必ずしもこれに拘束されず、他の形状であって上記植栽用ブロック１と連結されて植栽枠１８を形成しうるものであればよい。
【００１６】
又、本実施形態の植栽用ブロック１においても、図１に示す植栽用ブロックと同様に、網状体４（又は多孔蓋１７）の位置を水抜き孔３内に固定し、水抜き孔３から植栽土１６の流出を確実に防止して通気及び排水性が維持されるとともに、降雨や散水に際し、上記凸部５及び傾斜面６によって効果的な給水ができ、植栽土１６を地盤と連続させて植生繁茂を促進させるとともに、車両通行のある場所に設置した際に、車両のタイヤ等が接触しても上記凸部５，７によってその乗り上げ防止や衝撃緩和が図れる。
【００１７】
図５は本発明の植栽用ブロックの他実施の形態を示し、本実施形態の植栽用ブロック１は、平面視だ円形状の有底鉢形状をなすコンクリート製のブロック本体２からなる。
該ブロック本体２の外形状は上記図１に示す植栽用ブロックと同様に、その外側壁に凸部５，７及び上端面に傾斜面６を有し、又、ブロック本体２の側壁ではなく底部ほぼ中央部に、円形の水抜き孔３が穿設され、該水抜き孔３内には上記と同様に、同図（ハ）に示す如く、植栽用充填材の流出を防止する網状体４（又は多孔蓋１７）がその外周縁部を水抜き孔３の孔壁内に埋設して張設されるとともに、底部内面が水抜き孔３に向かって下降する緩傾斜面となされている。
【００１８】
本実施形態の植栽用ブロック１は、ブロック本体２内に植栽土を充填し、植物を植栽した際、ブロック本体２内の余剰水が底部の水抜き孔３から排水されるものであって、網状体４（又は多孔蓋１７）の位置を水抜き孔３内に固定して水抜き孔３からの植栽土の流出を確実に防止するとともに、降雨や散水に際し、上記凸部５及び傾斜面６によって効果的な給水ができ、且つ、有底鉢形状であるために、植栽後にも植栽用ブロック１ごと移動可能で設置場所の変更ができることは素より、車両通行のある場所において、車両のタイヤ等が接触した際には植栽用ブロック１が横すべりしてその衝撃力を緩衝することができる。又、車両のタイヤ等との接触に際し、上記凸部５，７及び平面視だ円形で全体に丸みを帯びていることによって、図１に示す植栽用ブロックと同様に、相互が点接触するのと前記移動とが相まってその乗り上げ防止や衝撃緩和が更に効果的に行われる。
【００１９】
図６は本発明の植栽用ブロックの他実施の形態を示し、本実施形態の植栽用ブロック１は、図５に示す植栽用ブロックと同様の外形状を有する平面視だ円形状の有底鉢形状をなすコンクリート製のブロック本体２からなる。
該ブロック本体２のほぼ平坦な底面には、上記水抜き孔３の径より若干小さい幅の逆凹溝８が、水抜き孔３に連通してだ円形状の底面の短径方向に延びて外周縁部に開口すべく凹設されている。
又、上記水抜き孔３には上記網状体４（又は多孔蓋１７）を張設する代わりに、図７及び図８に示す如く、多孔蓋１７がその周縁部を水抜き孔３の上縁段部３ａに係止して設けられ、ブロック本体２内に充填した植栽用材の流出防止、植栽用材からの排水及び植栽用材への通気を図っている。
【００２０】
本実施形態の植栽用ブロック１を所定の場所に設置すると、図７及び図８に示す如く、底面に凹設された逆凹溝８によって、ブロック本体２の底面と地面Ｇとの間に、だ円形底面の短径方向の全長にわたって地面Ｇと離隔せる通気及び排水路が確保され、水抜き孔３が、該水抜き孔３を中心に底面の外周縁部に向かって延びる２方向の上記通気及び排水路を介して外部と連通する。従って、ブロック本体２、植栽用材及び植物１５等の重量が加重してブロック本体２の底面が地面Ｇと密接状態となっても、ブロック本体２内の余剰水は上記逆凹溝８がなす排水路に沿ってスムーズに導水されて外部に排水され、又、外部の新鮮な空気は上記逆凹溝８がなす通気路を経て水抜き孔３から植栽用材と接するので植栽した植物１５の根腐れ防止を未然に図ることができる。
又、上記図５に示す植栽用ブロックと同様に、降雨や散水に際し、上記凸部５及び傾斜面６によって効果的な給水ができ、又、植栽後にも植栽用ブロック１ごと移動可能であるとともに、街路、駐車場等車両通行のある場所に設置した際、車両等の衝突に対して横すべりを起こしてその衝撃力を緩衝でき、又、車両のタイヤ等との接触に対し、上記凸部５，７及び平面視だ円形で全体に丸みを帯びていることによってその乗り上げ防止や衝撃緩和が図れる。
【００２１】
又、水抜き孔３の上縁段部３ａに係止されてなる多孔蓋１７は、図７に示す如く、薄手の円形板に多数穿設されてなる透孔群が、略矢印形透孔１７ａと該略矢印形透孔１７ａ間に介在せる略雨滴形透孔１７ｂとから形成され、各透孔１７ａ，１７ｂの最狭部が円形板の中心を夫々指向した放射状を呈してなるとともに、それらの間に残存する円形板の板部１７ｃの閉塞幅Ｂが各透孔１７ａ，１７ｂの最大開口幅ｂ以下となされている。
従って、植栽用ブロック１内で上記多孔蓋１７を植栽用材に臨ませれば、略矢印形透孔１７ａと略雨滴形透孔１７ｂとによる多孔蓋１７の透孔率が極めて大きくなって、かかる各透孔１７ａ，１７ｂを介して行われるべき植栽用材への通気や植栽用材からの排水が効率よく行われるとともに、前記各透孔１７ａ，１７ｂの最大開口幅ｂは、かかる多孔蓋１７に臨む植栽用材（図８にあっては、植栽土１６の水捌けを促進する粗骨材１９）の主たる粒度（粒径）より稍小さく設定されてなるために、各透孔１７ａ，１７ｂへの植栽用材の目詰まりや、各透孔１７ａ，１７ｂからの植栽用材の流出漏れを確実に防止することができる。
【００２２】
図９（イ）乃至（ホ）に示す各植栽用ブロック１は、上記図６に示す植栽用ブロックの変形例であって、（イ）は逆凹溝８がブロック本体２のだ円形状底面の長径方向にも凹設されて水抜き孔３を中心に十字状をなし、（ロ）は逆凹溝８の幅が水抜き孔３の径より大きい幅となされ、（ハ）は長径側にある逆凹溝８が分岐して短径方向を指向する逆凹溝８と相まって略水字状をなし、（ニ）はブロック本体２が平面視円形状で逆凹溝８が底面の外周縁部側で拡開せるラッパ状を呈して水抜き孔３から三方向を指向し、（ホ）はブロック本体２が平面視矩形状で水抜き孔３が八角形をなす点で上記図６に示す植栽用ブロックと相違しているが、その他は図６に示す植栽用ブロックと同様であるためその説明は省略する。
【００２３】
図１１は本発明の植栽用ブロックの他実施の形態を示し、本実施形態の植栽用ブロック１は上記図６に示す植栽用ブロックと略同様の形状、構造のものであって、ブロック本体２の長径方向に相対する側壁上位に、ブロック本体２の内方に向かって下降する傾斜状の挿通孔２０がそれぞれ貫通して設けられている点、外側壁上端部の凸部５の下面が略水平に近い緩傾斜状となされている点、及び逆凹溝８が幅広く水抜き孔３を中心に十字状を呈してなる点で上記図６に示す植栽用ブロックと相違している。
上記挿通孔２０は、吊持用のロープ等や、バール等の棒状体２１を挿通しうる径を有するとともに、図１０に示す如く、ブロック本体２の側壁外側における孔下縁２０ｂが側壁内側の孔上縁２０ａとほぼ等しいか高く位置された傾斜孔となされ、ブロック本体２内の植栽土１６の挿通孔２０からの外部流出防止が図られているので、従来の如く植栽土１６の流出防止用のネット等を必要とせず、且つ挿通孔２０が通気孔をなして植栽土１６と外部空気の接触を促進するとともに、降雨や散水に際して、ブロック本体２に付着してその側壁を伝う表面水の一部が、上記挿通孔２０からブロック本体２内に流入して植栽土１６に補助的な給水を行える。
ここで、挿通孔２０の傾斜度合は、植栽土１６の内部摩擦角φ（通常３０度〜３５度）に相応して、挿通孔２０を貫設すべきブロック本体２の側壁厚が薄い程急傾斜に、分厚い程緩傾斜に設定されることで、前記外部流出防止作用が奏せられる。又、ブロック本体２の挿通孔２０を設ける部分の側壁は強度面から他側壁に比し厚肉となされ、該厚肉側壁にパイプ２２が挿通一体化されて挿通孔２０が補強されているが、その形成方法はこれに拘束されない。
【００２４】
本実施形態の植栽用ブロック１は、植栽前の運搬時や所定場所への設置時に、挿通孔２０を吊り孔としてロープ等を挿通、係止等して重量物であるブロック本体２を人力、又はクレーン等建設機械で吊持して容易に移動させることができるとともに、又、植栽後に所定の場所から移動させる必要が生じた場合等に、図１２に示すように、挿通孔２０からブロック本体２内の植栽土１６にバール等の棒状体２１の下端部を差し込み、棒状体２１の上端部側を上方等に回動すべく操作することで梃子作用によってその下部が挿通孔２０内で固定化され、植栽用ブロック１ごと移動可能としたものであって、例えばその移動方法は、上記図１２の如く、植栽用ブロック１の長径方向の両側から各挿通孔２０に棒状体２１を挿通し、上端部側を夫々担ぎ上げて移動させる他、片側の挿通孔２０に棒状体２１を挿通し、適宜操作して直接移動やコロの上に載せるようにしてもよい。又、本実施形態の植栽用ブロック１においては、上記移動に代えて人力によりブロック本体２を把持するに際し、外側壁上端部の凸部５の下面が略水平に近い緩傾斜状となされていることから、該所に係止した手指が滑らず凸部５を把持する力がよく効いて、落下等させることなく安全に移動させることもできる。
【００２５】
尚、上記挿通孔２０の数や断面形状、形成位置は上記のものに限定されることなく、その数は少なくとも１個以上設けられればよいし、その断面形状は適宜で、又、その形成位置はブロック本体２の適宜側壁に設けられればよく、とくに側壁上半部に設けられていると、挿通孔２０に挿通した棒状体２１の上端部と植栽用ブロック１の設置面（地面Ｇ）との間にスペースができ、棒状体２１をその下側から操作しやすくなり好ましい。
尚又、上記挿通孔２０は、上記図６の他、図１及び図５に示す植栽用ブロック等の無底枠状又は有底鉢形状をなす適宜植栽用ブロックの側壁に設けられてもよい。
【００２６】
次に、本発明の植栽用ブロック１の水抜き孔３の形成方法について、図１３及び図１を参照しながら説明する。
図１３において、９は上面開放型の型枠であって、基本的にだ円形状の縦筒状内型枠１２とその外周に組み付けた分割可能な外型枠１３とからなり、内型枠１２と外型枠１３間に形成される空隙にその上面開口部１４から生コンクリートを充填して硬化せしめることにより、上記図１に示した無底だ円枠形状のブロック本体２を成形しうるようになされている。又、該ブロック本体２の側壁に円形の水抜き孔３を形成するために、内型枠１２の外面と外型枠１３の内面にそれぞれ円錐台状の突起部１０が相対向して突設されるとともに、各突起部１０の先端部に弾性を有するゴム製等のパッキン材１１を取付け、該パッキン材１１どうしが圧接するようになされている。
【００２７】
しかして、上記型枠９の組立時に、図１３（イ）及び（ロ）に示すように、相対向する突起部１０の先端部にあるパッキン材１１間に網状体４（又は前出の多孔蓋１７、以下同旨）を介在させて挟圧保持するとともに、網状体４（又は多孔蓋１７）の外周縁部をパッキン材１１間から外方に突出させておき、型枠９内、即ち内型枠１２と外型枠１３間の空隙に生コンクリートを充填することによって、網状体４（又は多孔蓋１７）の外周縁部を上記生コンクリート中に埋設し、養生硬化後に脱型することで、図１（ハ）及び（ニ）に示すように、両突起部１０によってブロック本体２の側壁に形成された水抜き孔３の孔壁内に、網状体４（又は多孔蓋１７）がその外周縁部を埋設して張設一体化されるものである。
【００２８】
尚、脱型の都合上、少なくとも内型枠１２側の突起部１０はねじ止め等の適宜方法により着脱自在としておき、脱型に際して内型枠１２の内側で該突起部１０と内型枠１２との固定を外し、型枠９を上下反転させて内型枠１２を抜き上げた後、外型枠１３を横方向に外すとともに、コンクリート内に残存せる上記突起部１０を取り外すものである。尚又、型枠９内にはブロック本体２を補強するために予め所定形状に形成した補強用鉄筋を挿入する場合もある。
上記水抜き孔３の形成方法は、ブロック本体２の成形に際して、水抜き孔３の形成と同時に、網状体４（又は多孔蓋１７）を水抜き孔３内に張設し、その際、両側から圧接するパッキン材１１が網状体４の網目（又は多孔蓋１７の透孔１７ａ，１７ｂ）に食い込み、かかる圧接部を網状体４（又は多孔蓋１７）含めて水密状となして型枠９内に充填した生コンクリートが網状体４の網目（又は多孔蓋１７の透孔１７ａ，１７ｂ）に目づまりするのを防止し、又、パッキン材１１間から外方に突出する網状体４（又は多孔蓋１７）の外周縁部を生コンクリートで取り巻いて固定し、網状体４（又は多孔蓋１７）の通気、通水及び一体性を良好な状態で維持するものである。
【００２９】
尚、上記植栽用ブロック１に関して、ブロック本体２は、上記のように平面視だ円形状の無底枠形状や有底鉢形状となされているのが、車両の乗り上げ防止や衝撃緩和に優れ、看者に柔和な感じを与えて植栽する植物と相まって安全で安らぎ感のある環境、景観の創出に寄与でき好ましいが、平面視円形状や矩形状、多角形状等各種形状であってもよい。又、板状をなす場合にも、上記平板状の他、湾曲板状、屈曲板状等適宜形状であってもよい。
又、ブロック本体２の外側壁の凸部５，７の断面形状や凸部７の突設数も上記実施形態に限定されないし、又、外側壁上端部、中途部に凸部５，７が突設されていると上記衝撃緩和効果が相乗して好ましいが、上端部の凸部５のみが突設されたり、或いは場合によっては凸部５，７が突設されていなくともよい。
【００３０】
又、水抜き孔３も上記実施形態では円形で１個となされているが、これに限定されず、だ円形、三角形、矩形、多角形等種々の形状で複数個設けられてもよいし、その穿設箇所もブロック本体２の側壁及び／又は底部であればよい。
さらに、網状体４や多孔蓋１７についても円形、だ円形、三角形、矩形、多角形等各種形状であってもよく、網状体４にあっては各種網目形状のもの、多孔プレート等汎用の通気及び透水性を有するものが使用でき、少なくともその外周縁部が水抜き孔３の孔壁に埋設一体化されておればよく、又、多孔蓋１７にあっては、相接する植栽土１６、粗骨材１９等の植栽用材の粒度（粒径）に相応して、各透孔１７ａ，１７ｂの最大開口幅ｂが設定されればよいし、透孔１７ａ，１７ｂの具体的形状も適宜でよく、それらの材質はステンレス鋼が耐蝕性の面で好ましいが、耐蝕性や曲げ強度等を有する他の金属、合成樹脂等適宜材質であってもよい。
【００３１】
又、ブロック本体２の底面に凹設された逆凹溝８も、上記実施形態のものに限定されることなく、その幅は水抜き孔３の径とほぼ同幅や小さい幅であると、余剰水を水抜き孔３から拡散させることなく逆凹溝８に沿ってスムーズに導水して排水でき好ましいが、水抜き孔３の径より大きな幅であってもよいし、又、その凹設位置や方向も、水抜き孔３からブロック本体２の底面の外周縁部に向かって複数凹設されていると、通気、排水性の面で好ましいが、水抜き孔３に連通して底面外周縁部に開口すべく直線状、湾曲や屈曲状等適宜形状に連続すればよいし、逆凹溝８の断面形状も台形状、山形状、半円状等適宜形状となされればよい。
【００３２】
又、水抜き孔３をその側壁に穿設した植栽用ブロック１に関して、上記実施形態においては、網状体４（又は多孔蓋１７）を水抜き孔３の孔壁内に埋設して張設しているが、図１４に示すように、ブロック本体２の側壁に穿設した水抜き孔３に内縁段部３ｂを形成し、例えて、比較的小円形の薄板に略矢印形透孔１７ａと略雨滴形透孔１７ｂを放射状に配してなる多孔蓋１７を係止固定して通気及び排水性を確保してもよいし、或いは網状体４を前記多孔蓋１７に置換してその外周縁部を前記内縁段部３ｂに係止してもよい。
更に又、逆凹溝８を設けた植栽用ブロック１に関して、上記実施形態においては、水抜き孔３に対して多孔蓋１７を上縁段部３ａに係止固定し、その位置ずれを防止しているが、該上縁段部３ａへの係止に替えて多孔蓋１７又は上記網状体４を上記方法によってその外周縁部を水抜き孔３の孔壁に埋設一体化することにより張設してもよいことは勿論である。
即ち、本発明の植栽用ブロック１におけるブロック本体２、水抜き孔３、網状体４、多孔蓋１７、凸部５，７、逆凹溝８、挿通孔２０等各部の形状、構造等は上記実施形態のものに限定されることなく、本発明の意図する範囲内で適宜に設計変更可能である。
【００３３】
尚又、上記植栽用ブロック１の水抜き孔３の形成方法に関して、各突起部１０は上記水抜き孔３の形状に適合する形状となされればよいし、パッキン材１１も網状体４の網目や多孔蓋１７の透孔に沿って弾性変形しうる柔軟性を有するものであればよい。又、該水抜き孔３の形成方法は、型枠９によって成形する植栽用ブロック１の形状を上記実施形態の平面視だ円形状のものに限定することなく、平面視円形、矩形、多角形状等各種形状の無底枠形状や有底鉢形状の他、平板状、湾曲又は屈折板状等種々の形状としてもよい。
【００３４】
【発明の効果】
以上詳述した如く、本発明の植栽用ブロックは、無底枠形状又は板形状をなすブロック本体の側壁、或いは有底鉢形状をなすブロック本体の側壁及び／又は底部に穿設される水抜き孔内に、植栽用充填材の流出を防止すべき網状体又は多孔蓋がその外周縁部をブロック本体内に埋設して張設されているために、施工に際して濾材をなすネットや通水板等の取付作業を要せず、且つブロック本体内又はブロック本体によって形成された枠内への植栽用材の充填時、経年による植栽用充填材の沈下時、又、植物の根の広がり時等に、水抜き孔内で固定状態をなす網状体又は多孔蓋が位置ずれを起こすようなことがなく、水抜き孔からの植栽用充填材の流出防止を確実に行えるとともに、安定した状態で通気及び排水性が維持できる。
【００３５】
又、本発明の植栽用ブロックは、有底鉢形状をなすブロック本体の側壁に、ブロック本体の内方に向かって下降する傾斜状の挿通孔が少なくとも１個貫通して設けられているために、傾斜状の挿通孔からブロック本体内の植栽土が流出するようなことがなく、従来の如く植栽用充填材の流出防止用のネット等を必要とせず、且つ挿通孔により安定した状態でその通気性を維持することができるとともに、降雨や散水に際して、ブロック本体に付着してその側壁を伝う表面水の一部を、下向き傾斜状の挿通孔からブロック本体内に流入させて、補助的な給水を行える。
更に、植栽前の運搬時や所定場所への設置時に、挿通孔を吊り孔としてロープ等を挿通、係止等してブロック本体を人力、又はクレーン等建設機械で吊持してその移動を容易に行うことができるとともに、植栽後に設置場所から移動させる必要が生じた場合、挿通孔からブロック本体内にバール等の棒状体の下端部を挿通し、棒状体の上端部側を上方等に回動操作することで梃子の作用によってその下部が挿通孔内で固定化され、重量物である植栽用ブロックごと容易に移動させることができる。
【００３６】
又、本発明の植栽用ブロックは、有底鉢形状をなすブロック本体の底部に水抜き孔が穿設され、ほぼ平坦な底面に前記水抜き孔と連通する逆凹溝が底面の外周縁部に開口すべく連続して凹設されているために、たとえブロック本体、植栽用充填材及び植物等の重量が加重してブロック本体の底面が設置面と密接状態となっても、水抜き孔は設置面と離隔して空所を形成する逆凹溝を介して外部と連通し、かかる逆凹溝を水抜き孔を介して行われるべき植栽用充填材の通気路や植栽用充填材から排出される余剰水の排水路として、ブロック本体内に植栽した植物の根腐れを防止することができ、安定した状態で通気及び排水性を確保できる。尚、前記逆凹溝を水抜き孔からブロック本体の底面の外周縁部に向かって複数条凹設すれば、上記通気及び排水性をさらに高めることができるとともに、たとえ何らかの理由によって１つの逆凹溝が閉塞状態となっても他の逆凹溝によって通気及び排水性を維持することができる。
【００３７】
又、本発明の植栽用ブロックは、無底枠形状又は有底鉢形状をなすブロック本体の外側壁上端部に凸部が周方向にわたって帯状に突設されるとともに、該凸部上面を含むブロック本体の上端面がブロック本体の内方に向かって下降する傾斜面となされているために、降雨や散水に際して、前記上端面上に落下した表面水がその傾斜面を伝わってブロック本体内に流入して効率的な給水ができ、且つ上端部で外突せる凸部によって傾斜面の面積を広くなしてその分により上記表面水の流入量を増加させ、延いては植栽した植物の生育を助成して水分欠乏による枯死を未然に防止できる。
更に、ブロック本体の外側壁中途部に断面ほぼ台形状の凸部が帯状に突設されているために、街路や駐車場等の車両と対面する場所に設置されて、万一車両等のタイヤが植栽用ブロックに接触しても、その接触部は外側壁から帯状に隆起する凸部となり、該凸部とタイヤとが線接触することで相互の摩擦が減じられ、タイヤがスリップしてブロック本体上に乗り上げることなく安全であるとともに、接触時の衝撃力も緩衝されることからブロック本体が破損する恐れがない。
【００３８】
又、本発明の植栽用ブロックは、無底枠形状又は有底鉢形状をなすブロック本体が平面視だ円形状となされているために、外周全体が丸みを帯び、外観的に看者に柔和な感じを与えて植栽する植物と相まってやすらぎのある環境、景観の創出に寄与することができ、又、平面形状が長、短径から構成されて方向性を有し、設置場所に応じてその設置方向を変えることができ、設置スペースの広狭等に対応できる。さらに、外周全体が丸みを帯びていることから、外側壁に上記凸部が突設されている場合には、該凸部への車両等の衝突に際し、凸部とタイヤが点接触して相互の摩擦が更に減じられ、前記ブロック本体上への乗り上げ防止や衝撃力緩和作用を一層効果的に奏してより安全な使用が行える。
【００３９】
又、本発明の植栽用ブロックの水抜き孔の形成方法は、型枠内に水抜き孔を形成する突起部を相対向して突設し、各突起部の先端部に設けたパッキン材間に網状体又は多孔蓋を介在させて挟圧するとともに、パッキン材間から外方に突出させた上記網状体又は多孔蓋の外周縁部を型枠内に充填するコンクリートに埋設するために、植栽用ブロックの成形に際して、水抜き孔の形成と同時に網状体又は多孔蓋を水抜き孔内に張設一体化することができるとともに、パッキン材が網状体の網目又は多孔蓋の透孔内に弾性変形して食い込み、上記コンクリートによる前記網目又は透孔の目づまりを防止することができる。
【図面の簡単な説明】
【図１】本発明の植栽用ブロックの一実施形態を示し、（イ）は平面図、（ロ）の左半部は半截正面図、（ロ）の右半部は半截断面図、（ハ）の左半部は半截側面図、（ハ）の右半部は半截断面図、（ニ）は（ハ）のＡ部拡大図。
【図２】図１の植栽用ブロックの使用例を示す断面図。
【図３】本発明の植栽用ブロックの他実施形態を示し、（イ）は正面図、（ロ）は側面図、（ハ）は（イ）のＢ−Ｂ断面図。
【図４】図３の植栽用ブロックの使用例を示し、（イ）は一部平面図、（ロ）は（イ）のＣ−Ｃ断面図。
【図５】本発明の植栽用ブロックの他実施形態を示し、（イ）は平面図、（ロ）は正面図、（ハ）は（ロ）のＤ−Ｄ断面図。
【図６】本発明の植栽用ブロックの他実施形態を示し、（イ）は平面図、（ロ）の左半部は半截正面図、（ロ）の右半部は半截断面図、（ハ）の左半部は半截側面図、（ハ）の右半部は半截断面図、（ニ）は底面図。
【図７】図６の植栽用ブロックの水抜き孔を多孔蓋で覆った状態を示し、（イ）は拡大平面図、（ロ）は（イ）のＦ−Ｆ断面図。
【図８】図６の植栽用ブロックの使用例を示す断面図。
【図９】（イ）乃至（ホ）はそれぞれ図６の植栽用ブロックの変形例を示す底面図。
【図１０】図１１の植栽用ブロックの挿通孔を示す一部拡大断面図。
【図１１】本発明の植栽用ブロックの他実施形態を示し、（イ）は平面図、（ロ）は正面図、（ハ）は側面図、（ニ）は（イ）のＨ−Ｈ断面図。
【図１２】図１１の植栽用ブロックの使用例（移動時）を示す断面図。
【図１３】本発明の植栽用ブロックの水抜き孔の形成方法の一実施形態を示し、（イ）は型枠の断面図、（ロ）は（イ）のＥ部拡大図。
【図１４】本発明の他の多孔蓋で水抜き孔を覆った状態を示し、（イ）及び（ロ）はそれぞれ断面図、（ハ）は（イ）、（ロ）のＧ矢視拡大図。
【符号の説明】
１　植栽用ブロック
２　ブロック本体
３　水抜き孔
３ａ　上縁段部
３ｂ　内縁段部
４　網状体
５，７　凸部
６　傾斜面
８　逆凹溝
９　型枠
１０　突起部
１１　パッキン材
１６　植栽土
１７　多孔蓋
１７ａ　略矢印形透孔
１７ｂ　略雨滴形透孔
１７ｃ　板部
１９　粗骨材
２０　挿通孔
２１　棒状体
Ｂ　閉塞幅
ｂ　最大開口幅
【図１】
2004141132.tif 000003
【図２】
2004141132.tif 000004
【図３】
2004141132.tif 000005
【図４】
2004141132.tif 000006
【図５】
2004141132.tif 000007
【図６】
2004141132.tif 000008
【図７】
2004141132.tif 000009
【図８】
2004141132.tif 000010
【図９】
2004141132.tif 000011
【図１０】
2004141132.tif 000012
【図１１】
2004141132.tif 000013
【図１２】
2004141132.tif 000014
【図１３】
2004141132.tif 000015
【図１４】
2004141132.tif 000016